(57)【要約】【課題】無端搬送ベルトの正回転時に分離ローラを通過後の硬貨が上下方向に重なることを抑制でき、その上で、部品点数の増大を抑制しジャムの発生を抑制することができる硬貨処理機の提供。【解決手段】無端搬送ベルト３８の上辺部３９で底部が形成され硬貨Ｃを上辺部３９上に収容するとともに無端搬送ベルト３８の正回転により上辺部３９を下流側に移動させて硬貨Ｃを下流側に搬送する硬貨受入部３２を有し、無端搬送ベルト３８は、上辺部３９が、硬貨Ｃを収容するとともに下流側が上側に位置するように傾斜する傾斜部４５と、傾斜部４５の下流側にあって水平に配置される水平部４６とを有しており、水平部４６の鉛直上方に、水平部４６との間を通過する硬貨Ｃの上下方向の重なりを解消する分離ローラ５０が設けられている。【選択図】図２
2015179402.tif 000002
【特許請求の範囲】
【請求項１】
無端搬送ベルトの上辺部で底部が形成され硬貨を前記上辺部上に収容するとともに前記無端搬送ベルトの正回転により前記上辺部を下流側に移動させて硬貨を下流側に搬送する硬貨受入部を有する硬貨処理機であって、
前記無端搬送ベルトは、前記上辺部が、硬貨を収容するとともに下流側が上側に位置するように傾斜する傾斜部と、該傾斜部の下流側にあって水平に配置される水平部と、を有しており、
前記水平部の鉛直上方に、該水平部との間を通過する硬貨の上下方向の重なりを解消する分離ローラが設けられていることを特徴とする硬貨処理機。
【請求項２】
前記水平部の前記傾斜部側の端部と、前記水平部の前記分離ローラに最も近接する位置とが、前記硬貨受入部に受け入れる硬貨の最大直径以上の間隔をあけていることを特徴とする請求項１記載の硬貨処理機。
【発明の詳細な説明】
【技術分野】
【０００１】
本発明は、硬貨処理機に関する。
【背景技術】
【０００２】
硬貨処理機には、バラ硬貨を無端のベルトコンベア上に受け入れて搬送するものがある。このような硬貨処理機において、ベルトコンベアが、搬送方向下流側が上側に位置するように傾斜する傾斜部と、この傾斜部の下流側に続く水平部とを有する形状とされ、傾斜部の鉛直上方に分離ローラが設けられているものがある。このように分離ローラがベルトの傾斜部の鉛直上方に設けられていると、硬貨は分離ローラを通過後にベルトの傾斜部から水平部に移動することになる。硬貨は傾斜部から水平部に移動する際に、傾斜部上で傾斜した状態のまま下流側の一部が水平部上に突出する状態が生じる。すると、その下流側に隣り合って水平部上で水平をなしている硬貨の上に乗り上げて上下に重なってしまう可能性がある。このため、傾斜部と水平部との境界位置の上側に硬貨の重なりを規制する案内板を設けている（例えば特許文献１参照）。
【先行技術文献】
【特許文献】
【０００３】
【特許文献１】特開２００５−１２８７８６号公報
【発明の概要】
【発明が解決しようとする課題】
【０００４】
上記のように案内板を設ける構造であると、部品点数が増大してしまうばかりか、案内板とベルトコンベアとの間でジャムを生じてしまう可能性がある。
【０００５】
したがって、本発明は、無端搬送ベルトの正回転時に分離ローラを通過後の硬貨が上下方向に重なることを抑制でき、その上で、部品点数の増大を抑制しジャムの発生を抑制することができる硬貨処理機の提供を目的とする。
【課題を解決するための手段】
【０００６】
上記目的を達成するために、請求項１に係る発明は、無端搬送ベルトの上辺部で底部が形成され硬貨を前記上辺部上に収容するとともに前記無端搬送ベルトの正回転により前記上辺部を下流側に移動させて硬貨を下流側に搬送する硬貨受入部を有する硬貨処理機であって、前記無端搬送ベルトは、前記上辺部が、硬貨を収容するとともに下流側が上側に位置するように傾斜する傾斜部と、該傾斜部の下流側にあって水平に配置される水平部と、を有しており、前記水平部の鉛直上方に、該水平部との間を通過する硬貨の上下方向の重なりを解消する分離ローラが設けられていることを特徴とする。
【０００７】
請求項２に係る発明は、請求項１に係る発明において、前記水平部の前記傾斜部側の端部と、前記水平部の前記分離ローラに最も近接する位置とが、前記硬貨受入部に受け入れる硬貨の最大直径以上の間隔をあけていることを特徴とする。
【発明の効果】
【０００８】
請求項１に係る発明によれば、正回転する無端搬送ベルトにおいて、下流側が上側に位置するように傾斜する傾斜部と、その下流側にあって水平に配置される水平部とを有する上辺部のうちの水平部の鉛直上方に分離ローラが設けられている。このため、無端搬送ベルトの正回転時に分離ローラで上下方向の重なりが解消された硬貨は、傾斜部を通ることなく水平部で下流側に向け搬送されることになる。よって、無端搬送ベルトの上方に案内板を設けることなく、無端搬送ベルトの正回転時に分離ローラを通過後の硬貨が上下方向に重なることを抑制できる。したがって、部品点数の増大を抑制しジャムの発生を抑制することができる。また、無端搬送ベルトの逆回転時には、水平部上にある硬貨よりも傾斜部上の硬貨の位置を下げることができるため、水平部からの硬貨が傾斜部上の硬貨の上に重なり易い。このため、傾斜部上で上下方向に硬貨を重ねることができ、硬貨を傾斜部上に円滑に戻すことができる。
【０００９】
請求項２に係る発明によれば、水平部の境界部側の端部と水平部の分離ローラに最も近接する位置とが、硬貨受入部に受け入れる硬貨の最大直径以上の間隔をあけているため、無端搬送ベルトの正回転時に分離ローラと無端搬送ベルトとの間に取り込む硬貨の姿勢を安定させることができる。
【図面の簡単な説明】
【００１０】
【図１】本発明の一実施形態に係る硬貨処理機を示す平面図である。
【図２】本発明の一実施形態に係る硬貨処理機を示す要部の断面図であって、無端搬送ベルトの正回転時の硬貨の状態を示すものである。
【図３】本発明の一実施形態に係る硬貨処理機を示す要部の断面図であって、無端搬送ベルトの逆回転時の硬貨の状態を示すものである。
【発明を実施するための形態】
【００１１】
本発明の一実施形態に係る硬貨処理機を図面を参照して以下に説明する。なお、各図において、矢印Ｘ方向が、操作を行う操作員側すなわち機体前方側（正面側）を示す。
【００１２】
図１に示す本実施形態に係る硬貨処理機１１は、硬貨の入金、収納、回収および出金等、硬貨に関する各処理を行うものである。硬貨処理機１１は、その機体前部に、機外からバラの入金硬貨が投入される硬貨投入部１５と、硬貨投入部１５に投入された硬貨を一枚ずつに分離して繰り出し搬送する繰出搬送部１６と、この繰出搬送部１６に設けられて硬貨処理機１１内に受け入れる硬貨の真偽および金種を識別する硬貨識別部１７とを有している。
【００１３】
硬貨投入部１５は、投入されたバラの入金硬貨を受け取るとともに水平回転する回転円盤２１を有している。
【００１４】
繰出搬送部１６は、回転円盤２１から接線方向かつ機体左右方向に沿って水平延在する硬貨識別通路２５を有している。また、繰出搬送部１６は、回転円盤２１の硬貨識別通路２５側に、回転円盤２１の遠心力で硬貨識別通路２５側に送り出される硬貨を一枚ずつに分離する隙間規制部材２７を有しており、さらに、硬貨識別通路２５の上側に、隙間規制部材２７により一枚ずつに分離して繰り出された硬貨を、上側から押圧しつつ硬貨識別通路２５に沿って回転円盤２１に対し反対方向に搬送する搬送ベルト２８を有している。
【００１５】
硬貨識別通路２５の回転円盤２１に対し反対側の端部には、硬貨識別部１７の識別結果に応じて硬貨を選別する振分ゲート３０が設けられている。この振分ゲート３０は、硬貨識別通路２５から硬貨を落下させるとともに、硬貨の落下方向を機体前側および機体後側のうちの一方に択一的に切り換える。
【００１６】
振分ゲート３０で機体前側に振り分けられた硬貨は、図示略の着脱可能なリジェクトボックスに排出される。他方、振分ゲート３０で機体後側に振り分けられた硬貨はこれらを受け入れて収容する硬貨受入部３２に送り込まれる。振分ゲート３０は、硬貨識別部１７で判別不能硬貨を含む偽硬貨と識別された硬貨、つまり正常と識別されなかったリジェクト硬貨をリジェクトボックスに案内して機外に取り出し可能に排除する一方、硬貨識別部１７で真硬貨、つまり正常と識別された硬貨を硬貨受入部３２に案内する。
【００１７】
硬貨受入部３２は、硬貨識別部１７で識別された硬貨のうち真硬貨を金種混合状態のまま一括して収容するもので、機体前後方向に延在する形状をなしている。硬貨受入部３２は、機体前後方向および上下方向に沿い、互いに機体左右方向に所定の間隔をあけて配置された一対の壁部３３，３３と、壁部３３，３３間の機体前側に配置される図２に示す立壁部３４と、壁部３３，３３間の立壁部３４よりも機体後側に配置される立壁部３５とを有している。また、硬貨受入部３２は、壁部３３，３３および立壁部３４，３５で囲まれて形成される収容空間３７の下部位置に機体前後方向に延在する状態で設けられる無端搬送ベルト３８を有している。
【００１８】
無端搬送ベルト３８は、その上辺部３９が収容空間３７の下部を閉塞しており、よって、この上辺部３９が硬貨受入部３２の底部を形成する。無端搬送ベルト３８はその機体前側の上側に設けられた図１に示す振分ゲート３０で案内されて落下する硬貨Ｃを上辺部３９上に受け入れて収容するとともに、正回転時に図２に矢印Ｒ１で示すように上辺部３９を機体後方に移動させて硬貨Ｃを後方に搬送する。ここで、無端搬送ベルト３８のこの正回転時の搬送方向における上流側（機体前側）を単に上流側と呼び、無端搬送ベルト３８のこの正回転時の搬送方向における下流側（機体後側）を単に下流側と呼ぶ。硬貨受入部３２は、無端搬送ベルト３８の上辺部３９で底部が形成され、上流側からの硬貨Ｃを上辺部３９上に収容するとともに無端搬送ベルト３８の正回転により上辺部３９を下流側に移動させて硬貨Ｃを下流側に搬送する。
【００１９】
無端搬送ベルト３８は、上流側の立壁部３４の下側に機体左右方向に中心軸線を配置して設けられる端部ローラ４１と、この端部ローラ４１よりも上側かつ下流側でこの端部ローラ４１と平行に中心軸線を配置して設けられる端部ローラ４２と、端部ローラ４１，４２間にこれらと平行に中心軸線を配置して設けられる中間ローラ４３とに掛けられている。中間ローラ４３は下流側の端部ローラ４２と上端部の高さ位置を合わせている。これにより、無端搬送ベルト３８の上辺部３９は、端部ローラ４１と中間ローラ４３との間が、下流側が上側に位置するように傾斜する傾斜部４５となっており、この傾斜部４５の下流側が水平に配置される水平部４６となっている。これら傾斜部４５と水平部４６との境界部４７が、中間ローラ４３の外周部に沿って湾曲している。中間ローラ４３の位置は、下流側の立壁部３５よりも上流側に位置しており、よって、傾斜部４５と境界部４７と水平部４６とが、収容空間３７の底部を構成し、上流側からの硬貨Ｃを収容する。
【００２０】
下流側の立壁部３５の下部には、中間ローラ４３と平行に中心軸線を配置して分離ローラ５０が設けられている。中間ローラ４３は、下流側の立壁部３５および分離ローラ５０よりも上流側に位置している。その結果、分離ローラ５０は、水平部４６の鉛直上方に配置されている。より詳しくは、分離ローラ５０の硬貨搬送方向の全体が水平部４６の鉛直上方に配置されており、無端搬送ベルト３８の水平部４６の傾斜部４５側の端部と水平部４６の分離ローラ５０に最も近接する位置とが、硬貨受入部３２に受け入れる硬貨Ｃの最大直径以上、つまり５００円硬貨の直径以上の間隔をあけている。
【００２１】
分離ローラ５０と、無端搬送ベルト３８の上辺部３９の水平部４６との間には、硬貨受入部３２に受け入れる最大厚さの硬貨（５００円硬貨）の厚さよりも広く、硬貨受入部３２に受け入れる最小厚さの硬貨（１円硬貨）の２枚分の厚さよりも狭い隙間が形成されている。分離ローラ５０は、正回転時の無端搬送ベルト３８の上辺部３９の移動に対し、この上辺部３９に対向する部分が逆方向に移動するように無端搬送ベルト３８と同方向（図２の時計回り方向）に回転する。これにより、分離ローラ５０は、これと水平部４６との間を通過する硬貨Ｃの上下方向の重なりを解消し、よって、硬貨Ｃを一枚ずつ通過させるようになっている。
【００２２】
また、硬貨受入部３２は、無端搬送ベルト３８の水平部４６の分離ローラ５０よりも下流側の鉛直上方に、ゲートストッパ５１を有している。このゲートストッパ５１はオンされると、そのストッパ部材５２が無端搬送ベルト３８の水平部４６に近接して水平部４６上の硬貨Ｃのストッパ部材５２を越えての下流側への移動を規制する閉状態となる。また、このゲートストッパ５１はオフされると、先端のストッパ部材５２が水平部４６から上方に離間して、水平部４６上の硬貨Ｃのストッパ部材５２を越えての下流側への移動を許容する開状態となる。つまり、硬貨受入部３２には、分離ローラ５０よりも下流側に分離ローラ５０で一枚ずつに分離されて一層状に搬送されてくる硬貨Ｃの通過を許容および規制するゲートストッパ５１が設けられている。
【００２３】
図１に示すように、硬貨受入部３２よりも下流側には、硬貨受入部３２の無端搬送ベルト３８からゲートストッパ５１を越えて下流側に送り出された硬貨をさらに機体後方に搬送した後、右方向に向きを変えて搬送する搬送部６１が設けられている。搬送部６１は、硬貨を案内する硬貨通路６２と、硬貨通路６２の上側にあって、硬貨受入部３２から一枚ずつに分離されて繰り出された硬貨を、上方から押圧しつつ硬貨通路６２に沿って搬送する搬送ベルト６３とを有している。硬貨通路６２の機体前後方向に沿う部分には、硬貨受入部３２側に、通過する硬貨の金種を判別する硬貨判別部６４が、硬貨受入部３２とは反対側に、硬貨判別部６４の判別結果等に応じて硬貨を選別する収納振分ゲート６５が、それぞれ設けられている。収納振分ゲート６５は、硬貨をこの収納振分ゲート６５を越えてそのまま搬送部６１で搬送する状態、および搬送部６１から落下させて後述する返却搬送路６７に送り込む状態の一方に択一的に切り換えられるものである。
【００２４】
硬貨通路６２の機体左右方向に沿う部分には、硬貨受入部３２から繰り出された硬貨を金種別に分類して落下させる分類孔７１Ａ〜７１Ｆが形成されている。各分類孔７１Ａ〜７１Ｆの下側には、これらで振り分けられた硬貨をそれぞれ収納可能であるとともに収納している硬貨を後述する放出口７３等に繰出可能な金種別の収納繰出部７５Ａ〜７５Ｆが設けられている。
【００２５】
これら金種別の収納繰出部７５Ａ〜７５Ｆと硬貨受入部３２との間に、硬貨受入部３２から繰り出され、収納振分ゲート６５で機体右方に振り分けれた硬貨を後述する放出口７３に返却可能な上記した返却搬送路６７が設けられている。
【００２６】
金種別の収納繰出部７５Ａ〜７５Ｆおよび返却搬送路６７は、それぞれの底部を構成する搬送ベルト７７と、搬送ベルト７７の上側に配置される分離ローラ７９とを有している。分離ローラ７９は、搬送ベルト７７で機体前方に搬送される硬貨の上下方向の重なりを崩し一枚ずつに分離する。
【００２７】
加えて、金種別の収納繰出部７５Ａ〜７５Ｆおよび返却搬送路６７は、分離ローラ７９の下流側にゲートストッパ８１を有している。このゲートストッパ８１は、搬送ベルト７７上の硬貨の機体前方への移動を許容する状態と規制する状態とに択一的に切り換えられる。
【００２８】
金種別の収納繰出部７５Ａ〜７５Ｆおよび返却搬送路６７の全ての下流側の端部（機体前側の端部）の下側には、図示略のゲートが設けられており、このゲートは、これらから繰り出された硬貨を機外へ放出する放出口７３に案内する状態と、これらから繰り出された硬貨をベルトコンベア式の硬貨搬送路８３に案内する状態とに択一的に切り替えられる。放出口７３は、その下側にセットされる図示略の受皿に硬貨を放出することになり、硬貨搬送路８３は、硬貨を硬貨受入部３２および硬貨一括金庫８５に択一的に案内可能となっている。
【００２９】
以上に述べた本実施形態に係る硬貨処理機１１によれば、図２に矢印Ｒ１で示すように正回転する無端搬送ベルト３８において、下流側が上側に位置するように傾斜する傾斜部４５と、その下流側にあって水平に配置される水平部４６とを有する上辺部３９のうちの水平部４６の鉛直上方に分離ローラ５０が設けられている。このため、無端搬送ベルト３８の正回転時に分離ローラ５０で上下方向の重なりが解消された硬貨Ｃは、傾斜部４５を通ることなく水平部４６で下流側に向け搬送されることになる。よって、無端搬送ベルト３８の上方に案内板を設けることなく、無端搬送ベルト３８の正回転時に分離ローラ５０を通過後の硬貨が上下方向に重なることを抑制できる。したがって、部品点数の増大を抑制しジャムの発生を抑制することができる。
【００３０】
また、図３に矢印Ｒ２で示すように、無端搬送ベルト３８の逆回転時には、水平部４６上にある硬貨Ｃよりも傾斜部４５上の硬貨Ｃの位置を下げることができるため、水平部４６からの硬貨Ｃが傾斜部４５上の硬貨Ｃの上に重なり易い。このため、傾斜部４５上で上下方向に硬貨Ｃを重ねることができ、硬貨Ｃを傾斜部４５上に円滑に戻すことができる。つまり、無端搬送ベルトの傾斜部上に分離ローラがあると、無端搬送ベルトの逆回転時に奥側の立壁部から分離ローラまで傾斜部上に硬貨が一層状に並んだ状態になると、分離ローラよりも下流側に硬貨を搬送できない状態が生じてしまうが、このような状態になることを、硬貨Ｃを無端搬送ベルト３８の屈曲形状部分で上下方向に重ねて抑制する。
【００３１】
また、水平部４６の傾斜部４５側の端部と水平部４６の分離ローラ５０に最も近接する位置とが、硬貨受入部３２に受け入れる硬貨Ｃの最大直径以上の間隔をあけているため、水平部４６の長さが十分となり、無端搬送ベルト３８の正回転時に分離ローラ５０と無端搬送ベルト３８との間に取り込む硬貨Ｃの姿勢を安定させることができる。
【００３２】
しかも、無端搬送ベルト３８の正回転時における分離ローラ５０の下流側にゲートストッパ５１があるため、無端搬送ベルトの傾斜部上に分離ローラがあると、ゲートストッパ５１で停止させられた硬貨に対して無端搬送ベルトの屈曲部分で硬貨が特に重なりやすいことから、上記構成を採用することによる効果が高い。
【符号の説明】
【００３３】
１１  硬貨処理機
３２  硬貨受入部
３８  無端搬送ベルト
３９  上辺部
４５  傾斜部
４６  水平部
５０  分離ローラ
Ｃ  硬貨
【図１】
2015179402.tif 000003
【図２】
2015179402.tif 000004
【図３】
2015179402.tif 000005